(57)【要約】【課題】１回のフォーカスサーチサイクルに基づいて光学記録媒体の再生を可能とする、光学記録媒体に書き込むおよび／または読み出すための装置に関する。【解決手段】フォーカスエラー信号とデータ信号に基づいて、光学記録媒体のタイプを判別する。Ｓ曲線ＯＫ信号は、光学媒体がロードされているかどうかを示す。フォーカスＯＫ信号は、高反射率媒体に対する専用の設定でアクティブになり、これは高反射率媒体がロードされたことを意味する。それ以外の時、装置は低反射率媒体がロードされたと結論づける。２番目のタイプの光学記録媒体に対する動作モードは、Ｓ曲線ＯＫとフォーカスＯＫ信号によりフォーカスサーチサイクルの間に適応される。決定の切換は、その完了の前に行われる。それゆえ、１回のフォーカスサーチサイクルのみが、高および低反射率媒体の両方の設定で焦点を見つけるために要求される。【選択図】図２
2007519146.tif 000002
【特許請求の範囲】
【請求項１】
少なくとも１番目と２番目のタイプの光学記録媒体に書き込む、および／または光学記録媒体から読み出すための装置であって、
ａ）フォーカスエラー信号（ＦＥ）およびデータ信号（ＲＦ）を提供するように適応され、１番目のタイプの光学記録媒体に対するフォーカスサーチサイクルを実行する手段と、
ｂ）フォーカスエラー信号（ＦＥ）およびデータ信号（ＲＦ）をそれぞれのスレッシュホールドと比較し、光学記録媒体の存在の表示信号（Ｓ曲線ＯＫ）を放出する手段と、
ｃ）フォーカスエラー信号（ＦＥ）に基づいたフォーカスゼロ交差を検出する手段と、
ｄ）データ信号（ＲＦ）が、フォーカスゼロ交差の近くでそれぞれのスレッシュホールドと与えられた関係を持たないとき、２番目のタイプの光学記録媒体に対する動作モードに設定を適応する手段と
を備えることを特徴とする光学記録媒体に書き込む、および／または光学記録媒体から読み出すための装置。
【請求項２】
判別される１番目のタイプの光学記録媒体は高反射率媒体であり、２番目のタイプの光学記録媒体は低反射率媒体であることを特徴とする請求項１に記載の装置。
【請求項３】
フォーカスサーチサイクルの完了前に２番目のタイプの光学記録媒体への切換が実行されることを特徴とする請求項２に記載の装置。
【請求項４】
サーボ経路信号のための１番目の増幅器とデータ経路信号のための２番目の増幅器をさらに備えることを特徴とする請求項１に記載の装置。
【請求項５】
低反射率媒体がデバイスの中にロードされたという指示は、高反射率媒体に対する設定での現在のサーチサイクルの短縮、および低反射率媒体に対する設定でのサーチサイクルの続行を、生じさせることを特徴とする請求項２に記載の装置。
【請求項６】
少なくとも１番目と２番目のタイプの光学記録媒体を判別するための方法であって、
ａ）フォーカスエラー信号（ＦＥ）およびデータ信号（ＲＦ）を提供するため、１番目のタイプの光学記録媒体に対するフォーカスサーチサイクルを実行し、
ｂ）フォーカスエラー信号（ＦＥ）およびデータ信号（ＲＦ）をそれぞれのスレッシュホールドと比較し、および光学記録媒体の存在の表示信号（Ｓ曲線ＯＫ）を放出し、
ｃ）フォーカスエラー信号（ＦＥ）に基づいたフォーカスゼロ交差を検出し、
ｄ）データ信号（ＲＦ）が、フォーカスゼロ交差の近くでそれぞれのスレッシュホールドと与えられた関係を持たないとき、２番目のタイプの光学記録媒体に対する動作モードに設定を適応する
ことを特徴とする光学記録媒体を判別するための方法。
【請求項７】
判別される１番目のタイプの光学記録媒体は高反射率媒体であり、２番目のタイプの光学記録媒体は低反射率媒体であることを特徴とする請求項６に記載の方法。
【請求項８】
信号関係に基づいて光学記録媒体のタイプを判別するため、アルゴリズムを使用するステップをさらに含むことを特徴とする請求項６に記載の方法。
【請求項９】
上記アルゴリズムは、１回のフォーカスサーチサイクルで光学記録媒体のタイプを判別する計算を実行するように設計させていることを特徴とする請求項８に記載の方法。
【発明の詳細な説明】
【技術分野】
【０００１】
本発明は、一般的に光学記録媒体に関する。特に１回のフォーカスサーチサイクルに基づいて光学記録媒体の再生を可能とする、光学記録媒体に書き込む、および／または光学記録媒体から読み出すための装置に関する。
【背景技術】
【０００２】
ますます複雑になる光学記録媒体に対する再生装置および記録装置の開発者は、多数の異なった要因を考慮に入れる必要がある。特許文献１と特許文献２は、光学記録媒体の装置と光学記録媒体の判別のための方法を開示しており、そこには従来技術および従来技術に関連した問題の詳細を記述している。
【０００３】
例えば、ＣＤ−ＲＷ（compact disk rewritable）タイプの光学記録媒体は、各光学ディスクの信号記録層の構造の差に依存している０．１５から０．２５の反射率を有する。ＣＤ−ＤＡ（compact disk digital audio）とＣＤ−Ｒ（compact disk recordable）タイプの光学記録媒体は、ＣＤ−ＲＷ媒体に比較して約４倍高い反射率を有している。同様の特徴は、ＤＶＤ／ＤＶＤ±Ｒ（digital versatile disk (recordable)）およびＤＶＤ±ＲＷ（digital versatile disk rewritable）に当てはまる。一般的に言えば、光学記録媒体は、高反射率と低反射率の媒体にクラス分けすることができる。異なった反射率を有する多数の光学媒体を再生するため、２つの基本的な方法が、従来技術の中で光学記録媒体に書き込む、および／または光学記録媒体から読み出すための装置によって使用されている。
【０００４】
【特許文献１】特開平１０−１３４４８９号公報
【特許文献２】特開平１０−３４０５２６号公報
【発明の開示】
【発明が解決しようとする課題】
【０００５】
１番目の方法によれば、媒体検出サイクルが最初に実行され、次にその結果に応じて、フォーカスサーチサイクルが、検出された媒体による設定で実行される。フォーカスサーチサイクルの中で、レーザダイオードによって放出される光線の最適フォーカス状態を得るための設定が決定される。２番目の方法によれば、専用の設定が最初に選ばれ、次にフォーカスサーチサイクルが交互に行われ、その中で各サイクルは、専用の高反射率媒体設定または専用の低反射率媒体設定のどちらかに特徴づけられている。両方の方法は、１回以上のサーチサイクルおよび、２若しくはそれ以上のフォーカスサーチサイクル、または１回のフォーカスサーチサイクルに続いた１若しくはそれ以上の媒体検出サイクルのどちらかを要求する。これは、光学記録媒体への記録または再生が可能になるまでの、光学記録媒体に書き込む、および／または光学記録媒体から読み出すための装置の起動時間を増加させる。結果として、複数のサーチサイクルを実行させることにより生ずる遅れは、装置の性能を低下させることを生じさせる。したがって、上記問題を解決するための技術が必要とされる。
【０００６】
本発明は従来技術の上記問題を解決し、光学記録媒体に書き込む、および／または光学記録媒体から読み出すための装置を提供し、さらに安定かつ正確な１回のフォーカスサーチサイクル後、光学記録媒体のタイプにしたがって、多数のタイプの光学記録媒体の内容を再生する、及び、起動時間を減少させることが可能な異なったタイプの光学記録媒体を判別するための方法を提供する。
【課題を解決するための手段】
【０００７】
１回のフォーカスサーチサイクルの後、正常かつ正確な再生の目的を達成するため、フォーカスサーチ機能は、多数の連続するステップにさらに分割され、その中で、１つの連続するステップが実行される間、ステップの実際の機能が行われるだけでなく、次のステップに関係するかもしれない特性が探し出される。これゆえ、この方法はすべての連続の列を速くする。特に本発明のシステムは、光学レンズシステムと２つの分離した増幅器、１つはサーボ信号経路のためで、もう１つはデータ信号経路のための、を含んでいる。フォーカスサーチサイクルの間フォーカスエラー信号の絶対値が、与えられたスレッシュホールドを超えたとき、Ｓ曲線ＯＫ信号が放出される。フォーカスゼロ交差が検出されたとき、このゼロ交差の前後のデータ信号ＲＦの振幅が決定され、スレッシュホールドと比較される。スレッシュホールドより大きいときフォーカスＯＫ信号が放出され、与えられた媒体が高反射率媒体であることが結論づけられ、高反射率媒体に対する設定が保たれる。ピーク振幅がスレッシュホールドより小さいとき、装置は自動的に低反射率媒体に対する専用の設定に切換する。フォーカスエラー信号ＦＥとデータ信号ＲＦの組み合わせは、それゆえ、２つのタイプの光学記録媒体間の判別を可能とする。したがって、１回のフォーカスサーチサイクルのみが、高反射率および低反射率媒体に対する焦点を見つけるために要求される。このようにして、起動／検出時間フレームは、十分に減少される。結果的に、装置の性能は、光学記録媒体を検出できる能力および、１回のフォーカスサーチサイクルで多数の光学記録媒体を判別できる能力により高められる。１つより多くのスレッシュホールドを提供することにより、２つより多くのタイプの光学記録媒体、例えば、高、低、中反射率媒体、を判別することがさらに可能になる。さらに、方法は、光学記録媒体の異なったファミリ間の判別を併せ持つことも好ましい、それは、カバー層の厚さ等のような他の記録媒体の物理的パラメータに基づくこともできる。例えば、最初にＣＤ−またはＤＶＤ−タイプの光学記録媒体間の判別が行われる。次にフォーカスサーチ機能が開始する。同様に最初フォーカスサーチ機能を開始して、その後、ＣＤ−またはＤＶＤ−タイプの光学記録媒体間の判別を実行することが可能である。もちろん、本判別は、ＣＤおよびＤＶＤに制限される必要はない。ＢＤ（Blu-ray disk）のような他の媒体または将来の媒体フォーマットも含まれる。
【発明を実施するための最良の形態】
【０００８】
本発明をもっと良く理解するために、実施例は図の参照により次の記載の中で具体的に述べられる。本発明はこの実施例に制限されなく、明記された特徴も本発明の範囲から離れることなく、適切に結合および／または修正されると解釈される。次の参照で、高および低反射率媒体の例としてＣＤ−ＤＡ／ＣＤ−ＲおよびＣＤ−ＲＷのタイプの光学記録媒体が使用される。もちろん、前に示したように本発明は、高および低反射率媒体にクラス分けできる他のタイプの光学記録媒体にも同様に適用可能である。
【０００９】
図１は、本実施形態にかかる光学記録媒体に書き込む、および／または光学記録媒体から読み出すための装置の一般的な構成を示している図式のブロックダイアグラムである。その中で参照数字１００は、装置１１８の中に挿入された光学記録媒体を表している。光学記録媒体は、光学レンズシステム１０２を通ってレーザダイオード１０４によって放出される光線で照射される。光学記録媒体の表面で反射された光は、再度光学レンズシステム１０２の対物レンズを通過する。１つまた複数の光検出器を含んでいるフォトダイオード素子１１２は、反射されたレーザ光を電気信号に変換するために使用される。装置１１８の中に光学記録媒体１００を挿入した後、または装置１１８の電源をオンにした後、フォーカスサーチサイクルが実行され、光学記録媒体１００の反射面上で光線の焦点を合わせることができるように、オープンループの手法で光学記録媒体１００に向かって垂直の方向に対物レンズを動かす。フォーカスサーチハードウェアブロック１１４は、フォーカスエラー信号ＦＥの絶対振幅に敏感であり、それは、特性曲線、つまりＳ曲線を形成する。フォーカスサーチは、もし焦点が検出されたらフォーカスアクチュエータ１１０に傾斜（ランプ）信号を加えること、およびフォーカスコントロールループに近づけることにより実行される。
【００１０】
装置１１８はさらに２つの分離したＲＦ増幅器を含んでおり、サーボ信号経路のための増幅器１０６とデータ信号経路のための増幅器１０８である。２つの増幅器１０６、１０８は、ＣＤ−ＤＡ／ＣＤ−ＲまたはＣＤ−ＲＷのどちらかのため、それぞれの場合用に構成されている。光学記録媒体１００から検出された信号は同時に両方の増幅器１０６、１０８に供給される。さらに、光学記録媒体判別装置１１６にも供給され、それは、挿入された光学記録媒体１００がＣＤ−ＤＡ／ＣＤ−Ｒ、ＣＤ−ＲＷであるかどうかまたは、光学記録媒体が挿入されているかどうかを判別することができる。光学記録媒体１００のタイプは、２つのタイプの信号、つまりフォーカスエラー信号振幅とデータ信号ＲＦの振幅に基づいて判別される。Ｓ曲線ＯＫ信号は、ともかく光学記録媒体がロードされているかどうかを示す。再生装置はＣＤ−ＤＡ／ＣＤ−Ｒ設定になっており、同時にフォーカスＯＫ信号がアクティブになったとき、これはＣＤ−ＤＡ／ＣＤ−Ｒ媒体がロードされたことを意味する。しかしながら、フォーカスＯＫ信号がアクティブでなく、同時にＳ曲線ＯＫ信号を受け取ったとき、再生装置はＣＤ−ＲＷ媒体がロードされたと結論づける。Ｓ曲線ＯＫ信号はフォーカスエラー信号ＦＥから引き出され、フォーカスエラー信号はサーボループ処理に専用化されたデジタル信号プロセッサ、サーボＤＳＰ１２０によって計算される。
【００１１】
Ｓ曲線ＯＫ信号は、フォーカスエラー信号が１番目のスレッシュホールドを超えたとき、アクティブになり、フォーカスエラー信号が２番目のスレッシュホールドを下回ったとき、非アクティブになる。１番目のスレッシュホールドは、２番目のスレッシュホールドよりいくらか大きいが、両方はゼロ交差点からあまり離れていない。フォーカスＯＫ信号はデータ信号ＲＦから引き出され、データ信号ＲＦの振幅がスレッシュホールドを超えたとき、アクティブになる。信号がスレッシュホールドを下回ったとき、非アクティブになる。異なった光学媒体を簡単に判別することを確実にするため、期待された信号が完全なアルゴリズムで生成されるように、スレッシュホールドを調整することができる。言い換えれば、ＣＤ−ＲＷ媒体が装置の中にあるとき、もしフォーカスサーチがＣＤ−ＤＡ／ＣＤ−Ｒの設定で行われた場合、ある信号関係は計算され、システムが非ＣＤ−ＲＷの設定で動作していても、ＣＤ−ＲＷ媒体の存在を結論づける。したがって、この知識に基づいて、装置の中にロードされた光学記録媒体がＣＤ−ＲＷ媒体であるという指示を受け取ったとき、ＣＤ−ＲＡ／ＣＤ−Ｒの設定で行われるフォーカスサーチサイクルは短縮される。適切なＣＤ−ＲＷ設定への切換は、同じフォーカスサーチサイクル動作の間に自動的に実行され、従来技術の場合のように次のサイクルの中の後ではない。それゆえ、１回のフォーカスサーチサイクルのみが、ＣＤ−ＤＡ／ＣＤ−ＲとＣＤ−ＲＷ媒体の両方に対して焦点を探すために要求される。
【００１２】
図２は、２つのフローチャートの対応する処理を表現している。１番目のフローチャートａ）は、２つだけのタイプの記録媒体間の判別に関係している。ステップ２００の中で１番目のタイプの光学記録媒体に対するフォーカスサーチサイクルが実行され、その中でフォーカスエラー信号ＦＥとデータ信号ＲＦが生成される。次のステップ２０２の中で、フォーカスエラー信号ＦＥがスレッシュホールドと比較される。次にフォーカスエラー信号ＦＥに基づいたフォーカスゼロ交差が、検出２０４され、データ信号ＲＦの振幅がスレッシュホールドと比較される。最後のステップ２０６の中で、データ信号ＲＦの振幅がスレッシュホールドを超えない場合、設定は２番目のタイプの光学記録媒体に対する動作モードに適応される。
【００１３】
２番目のフローチャートｂ）は、２つより多くのタイプの記録媒体、つまり、高、低および中反射率媒体、間の判別に関係している。ステップ２００と２０２は両方の処理で同じである一方、本ケース中のステップ２０５では、データ信号ＲＦの振幅が多数のスレッシュホールドと比較される。最後のステップ２０７で、設定はデータ信号ＲＦの振幅が超えたスレッシュホールドに依存するタイプの検出された光学記録媒体に対する動作モードに適応される。
【００１４】
図３はＳ曲線と呼ばれているものを示している。それは、フォーカスサーチ動作の間に検出され、対物レンズが光学記録媒体から最も遠い位置と光学記録媒体から最も近い位置との間の線に沿って動いている間、フォーカスエラー信号ＦＥから引き出される。レンズ位置ｘに対する信号振幅Ａがプロットされている。測定面に向かっているおよび離れている間、Ｓ曲線信号のゼロ交差点が検出される。ゼロ交差以前の信号の振幅３００、３０４およびゼロ交差後の信号の振幅３０２、３０６が決定され、１番目と２番目のスレッシュホールドによって与えられるスレッシュホールドと比較される。Ｓ曲線ＯＫ信号は、フォーカスエラー信号ＦＥが１番目のスレッシュホールドを超えるときアクティブになり、フォーカスエラー信号が２番目のスレッシュホールドを下回るとき非アクティブになる。１番目のスレッシュホールドは２番目のスレッシュホールドよりいくらか大きい、しかし、両方ともゼロ交差点からあまり離れていない。
【００１５】
図４はデータ信号ＲＦ４００、４０４を示しており、およびＣＤ−ＤＡ／ＣＤ−Ｒ設定が適用されたとき、フォーカスサーチサイクルの間、データ信号ＲＦから引き出されるフォーカスＯＫ信号４０２、４０６を示している。レンズ位置ｘに対する信号振幅Ａと論理レベルがプロットされる。フォーカスＯＫ信号は、データ信号ＲＦの振幅が与えられたスレッシュホールドを超えたとき、アクティブになり、信号がスレッシュホールドより低くなったとき非アクティブになる。ＣＤ−ＤＡ設定で、ＣＤ−ＤＡ／ＣＤ−Ｒ媒体およびＣＤ−ＲＷ媒体に観測される振幅には違いがある。ＣＤ−ＤＡ媒体がロードされたとき、ＲＦ信号４０４はスレッシュホールドより大きくなる。ＣＤ−ＲＷ媒体が存在する時、ＲＦ信号４００はスレッシュホールドより低くなる。結果的にフォーカスＯＫ信号４０６がアクティブになったとき、ＣＤ−ＤＡ／ＣＤ−Ｒ媒体がロードされたことを意味する。一方、フォーカスＯＫ信号４０２がアクティブでないとき、ＣＤ−ＲＷがロードされたことを意味する。
【００１６】
本発明は、ある好ましいバージョンを参照することで詳細に記述されたが、他のバージョンでも可能である。
【図面の簡単な説明】
【００１７】
【図１】本発明の好ましい実施形態にかかる１番目と２番目の光学記録媒体に書き込む、および／または光学記録媒体から読み出すための装置の一般的な構成を図示するブロックダイアグラムである。
【図２】本発明の方法を記述している処理のフローチャートである。
【図３】Ｓ曲線とスレッシュホールドの比較を図示している。
【図４】データ信号ＲＦとフォーカスＯＫ信号を図示している。
【符号の説明】
【００１８】
１００  光学記録媒体
１０２  光学レンズシステム
１０４  レーザダイオード
１０６  サーボ信号経路のための増幅器
１０８  データ信号経路のための増幅器
１１０  アクチュエータ
１１２  フォトダイオード素子
１１４  フォーカスサーチハードウェアブロック
１１６  光学記録媒体判別装置
１１８  装置
１２０  サーボＤＳＰ
【図１】
2007519146.tif 000003
【図２】
2007519146.tif 000004
【図３】
2007519146.tif 000005
【図４】
2007519146.tif 000006
【国際調査報告】
2007519146.tif 000007
2007519146.tif 000008
2007519146.tif 000009